Podtech/llm-jp-corpus-v4-ja_patent huggingface dataset:
【手続補正書】
【提出日】平成31年4月9日(2019.4.9)
【手続補正１】
【補正対象書類名】特許請求の範囲
【補正対象項目名】全文
【補正方法】変更
【補正の内容】
【特許請求の範囲】
【請求項１】
遠端及び近端を含むイオン源筐体と、
前記イオン源筐体の内部に配置されたアークチャンバを含むイオン源と、
前記イオン源筐体の前記遠端に装着された抽出開口プレートとを具えたイオン源筐体アセンブリであって、
前記抽出開口プレートは、前記イオン源筐体の前記遠端の内側によって前記イオン源筐体内に規定される開口部の全体上に広がり、前記抽出開口プレートは、前記アークチャンバの開口と整列する開口部を有する、イオン源アセンブリ。
【請求項２】
前記アークチャンバに結合された抽出開口ライナーをさらに含み、該抽出開口ライナーは、前記アークチャンバの開口と整列する開口部を有する、請求項１に記載のイオン源アセンブリ。
【請求項３】
前記抽出開口プレートが前記抽出開口ライナーに結合されている、請求項２に記載のイオン源アセンブリ。
【請求項４】
前記抽出開口プレートの開口部が、前記抽出開口ライナーの開口部内へ延びる半径方向の延長部を規定する、請求項２に記載のイオン源アセンブリ。
【請求項５】
前記アークチャンバに近接し、前記イオン源筐体を通して形成された一組の真空ポンプ開口をさらに具えている、請求項１に記載のイオン源アセンブリ。
【請求項６】
前記イオン源筐体内に配置された真空ライナーをさらに具え、該真空ライナーは前記一組の真空ポンプ開口に隣接して配置されている、請求項５に記載のイオン源アセンブリ。
【請求項７】
一組の真空ポンプ開口を形成されたイオン源筐体と、
前記イオン源筐体内に配置されたアークチャンバを含むイオン源と、
前記イオン源筐体の内側に配置された真空ライナーであって、前記一組の真空ポンプ開口と前記イオン源との間の障壁を形成する真空ライナーと、
前記イオン源筐体の遠端に装着された抽出開口プレートとを具えたイオン抽出システムであって、
前記抽出開口プレートは、前記イオン源筐体の前記遠端の内側によって前記イオン源筐体内に規定される開口部の全体上に広がり、前記抽出開口プレートは、前記アークチャンバの開口と整列する開口部を有する、イオン抽出システム。
【請求項８】
前記アークチャンバに結合された抽出開口ライナーをさらに具え、該抽出開口ライナーは、前記アークチャンバの開口と整列する開口部を有する、請求項７に記載のイオン抽出システム。
【請求項９】
前記抽出開口プレートが前記抽出開口ライナーに結合されている、請求項８に記載のイオン抽出システム。
【請求項１０】
前記抽出開口プレートの開口部が、前記抽出開口ライナーの開口部内へ延びる半径方向の延長部を規定する、請求項９に記載のイオン抽出システム。
【請求項１１】
接地電極及び抑制電極をさらに具え、該接地電極及び該抑制電極の各々が、前記抽出開口プレートの開口部と整列する開口部を有する、請求項７に記載のイオン抽出システム。
【請求項１２】
前記真空ライナーが、前記イオン源筐体の、前記一組の真空ポンプ開口に隣接した内面に結合されている、請求項７に記載のイオン抽出システム。
【請求項１３】
イオン抽出システムを改良する方法であって、
遠端及び近端を規定するイオン源筐体を用意するステップと、
前記イオン源筐体の前記遠端に抽出開口プレートを装着するステップであって、該抽出開口プレートは、前記イオン源筐体の前記遠端の内側によって前記イオン源筐体内に規定される開口部の全体上に広がり、前記抽出開口プレートは、アークチャンバの開口と整列する開口部を有するステップと、
前記イオン源筐体の内側に真空ライナーを設けるステップであって、該真空ライナーは、前記イオン源筐体の一組の真空ポンプ開口の付近に障壁を形成するステップと
を含む方法。
【請求項１４】
前記アークチャンバに抽出開口ライナーを装着するステップをさらに含み、該抽出開口ライナーは、前記アークチャンバの開口と整列する開口部を含む、請求項１３に記載の方法。
【請求項１５】
前記抽出開口プレートを前記抽出開口ライナーに結合するステップをさらに含む、請求項１３に記載の方法。 
【手続補正２】
【補正対象書類名】明細書
【補正対象項目名】発明の名称
【補正方法】変更
【補正の内容】
【発明の名称】イオン源筐体アセンブリ、イオン抽出システム、及びイオン抽出システムを改良する方法
【手続補正３】
【補正対象書類名】明細書
【補正対象項目名】００１６
【補正方法】変更
【補正の内容】
【００１６】
図１を参照すれば、本発明によるイオン抽出システム１０（以下「システム１０」と称する）を例証する好適な実施形態が示されている。システム１０は、近端１８及び遠端２２を規定するイオン源筐体１４を含む。遠端２２には抽出開口プレート２８が配置され、抽出開口プレート２８は、当該抽出プレート内に形成された単一の主開口部２６を含む。イオン源筐体１４は、当該イオン源筐体の側壁３４を通して形成された一組の真空ポンプ開口３０をさらに含んで、ポンプ（図示せず）によるイオン源筐体１４の内部の真空ポンプ排出を可能にする。
【手続補正４】
【補正対象書類名】明細書
【補正対象項目名】００３２
【補正方法】変更
【補正の内容】
【００３２】
付属アーク及び他のあらゆるイオンが、アークチャンバ１５６を取り囲む開口部１８８を通って出ることを防止するために、抽出開口プレート１２８がイオン源筐体１１４の外面１９０に結合されている。好適な実施形態では、抽出開口プレート１７４が、開口部１８８の全体上に広がり、当該抽出開口プレート１７４内に形成された開口部１８６を含み、開口部１８６はアークチャンバ１５６の抽出開口１６７と概ね整列している。
【手続補正書】
【提出日】平成31年4月23日(2019.4.23)
【手続補正１】
【補正対象書類名】特許請求の範囲
【補正対象項目名】全文
【補正方法】変更
【補正の内容】
【特許請求の範囲】
【請求項１】
第１バイナリを保存するメモリと制御部とを含むバイナリ併合装置が、バイナリを併合する方法において、
前記制御部が、前記第１バイナリに注入する第２バイナリを生成する工程と、
前記制御部が、第１プログラミングインターフェースを参照するアプリケーションの第１バイナリを難読化させる工程と、
前記制御部が、前記第１バイナリに係わる第１プログラミングインターフェースを生成する工程と、
前記制御部が、前記第２バイナリに係わる第２プログラミングインターフェースを生成する工程と、
前記制御部が、前記第１プログラミングインターフェース及び前記第２プログラミングインターフェースを比較し、参照される関数が同一であるか否かということを判断する工程と、
前記判断の結果、第２プログラミングインターフェース及び第１プログラミングインターフェースが同一ではない場合、前記制御部が、前記第１プログラミングインターフェースと対応する第１アドレステーブルを、前記第２プログラミングインターフェースと対応する第２アドレステーブルに交替する工程と、
前記制御部が、前記第１バイナリ及び前記第２バイナリを併合した最終バイナリを生成し、前記最終バイナリのエントリポイントが第２バイナリになるように設定する工程と、を含むバイナリ併合方法。
【請求項２】
前記第１バイナリまたは前記第２バイナリは、モバイル環境で実行されるバイナリであることを特徴とする請求項１に記載のバイナリ併合方法。
【請求項３】
前記第２バイナリは、
前記第１バイナリを復号する関数を含むソースファイルから生成したバイナリであることを特徴とする請求項１に記載のバイナリ併合方法。
【請求項４】
前記第２バイナリは、
アセンブリ語で具現されたバイナリであることを特徴とする請求項１に記載のバイナリ併合方法。
【請求項５】
前記第２バイナリは、
前記第１バイナリのうち実行バイナリファイルに含まれるように生成されたバイナリであることを特徴とする請求項１に記載のバイナリ併合方法。
【請求項６】
前記第１アドレステーブルは、
前記第１プログラミングインターフェースに含まれた関数が定義された領域のアドレス値を含み、
前記第２アドレステーブルは、
前記第２プログラミングインターフェースに含まれた関数が定義された領域のアドレス値を含むことを特徴とする請求項１に記載のバイナリ併合方法。
【請求項７】
第１プログラミングインターフェースを参照するアプリケーションの第１バイナリを難読化させる難読化手段と、
前記第１バイナリに注入する第２バイナリを生成するコード生成手段と、
前記第１バイナリに係わる第１プログラミングインターフェースを生成する第１参照分析手段と、
前記第２バイナリに係わる第２プログラミングインターフェースを生成する第２参照分析手段と、
前記第１プログラミングインターフェース及び前記第２プログラミングインターフェースを比較し、参照される関数が同一であるか否かということを判断する判断手段と、
前記判断の結果、第２プログラミングインターフェース及び第１プログラミングインターフェースが同一ではない場合、前記第１プログラミングインターフェースと対応する第１アドレステーブルを、前記第２プログラミングインターフェースと対応する第２アドレステーブルに交替するテーブル処理手段と、
前記アプリケーションのエントリポイントが第２バイナリになるように設定する処理手段と、を含むバイナリ併合装置。
【請求項８】
前記第１バイナリまたは前記第２バイナリは、モバイル環境で実行されるバイナリであることを特徴とする請求項７に記載のバイナリ併合装置。
【請求項９】
前記第２バイナリは、
前記第１バイナリを復号する関数を含むソースファイルから生成したバイナリであることを特徴とする請求項７に記載のバイナリ併合装置。
【請求項１０】
前記第２バイナリは、
アセンブリ語で具現されたバイナリであることを特徴とする請求項７に記載のバイナリ併合装置。
【請求項１１】
前記第２バイナリは、
前記第１バイナリのうち実行バイナリファイルに含まれるように生成されたバイナリであることを特徴とする請求項７に記載のバイナリ併合装置。
【請求項１２】
前記第１アドレステーブルは、
前記第１プログラミングインターフェースに含まれた関数が定義された領域のアドレス値を含み、
前記第２アドレステーブルは、
前記第２プログラミングインターフェースに含まれた関数が定義された領域のアドレス値を含むことを特徴とする請求項７に記載のバイナリ併合装置。
【請求項１３】
コンピュータに、請求項１ないし６のうちいずれか１項に記載の方法を実行させる、コンピュータプログラム。
【手続補正書】
【提出日】令和1年6月13日(2019.6.13)
【手続補正１】
【補正対象書類名】特許請求の範囲
【補正対象項目名】全文
【補正方法】変更
【補正の内容】
【特許請求の範囲】
【請求項１】
衛星通信システムにおける半二重フレーム中のフォワードリンク継続時間およびガード継続時間を決定するための方法であって、
前記半二重フレームの特殊サブフレームにおいてフォワードリンク時間セグメントを割り振るステップと、
前記特殊サブフレームにおいてガード時間セグメントを割り振るステップと、
前記特殊サブフレーム中の前記フォワードリンク時間セグメントに基づいて、前記半二重フレーム中の前記フォワードリンク継続時間を決定するステップと、
前記特殊サブフレーム中の前記ガード時間セグメントに基づいて、前記半二重フレーム中の前記ガード継続時間を決定するステップと
を含む、方法であって、
前記半二重フレームは、前記特殊サブフレームの前記ガード時間セグメントに続くガードサブフレームをさらに含み、
前記フォワードリンク時間セグメントおよび前記ガード時間セグメントの割合は、前記半二重フレームに対する総ガード時間要件に基づいて動的に変化するが、前記特殊サブフレームの継続時間は一定のままである、
方法。
【請求項２】
前記半二重フレームが、前記特殊サブフレームに先行するフォワードリンクサブフレームをさらに含む、請求項1に記載の方法。
【請求項３】
前記半二重フレーム中の前記フォワードリンク継続時間を決定するステップが、前記特殊サブフレーム中の前記フォワードリンク時間セグメントを前記フォワードリンクサブフレームに加えるステップを含む、請求項2に記載の方法。
【請求項４】
前記半二重フレーム中の前記ガード継続時間を決定するステップが、前記特殊サブフレーム中の前記ガード時間セグメントを前記ガードサブフレームに加えるステップを含む、請求項2に記載の方法。
【請求項５】
前記方法が、適応型特殊サブフレーム(SSF)スケジューラによって実行される、請求項1に記載の方法。
【請求項６】
前記適応型SSFスケジューラがゲートウェイにある、請求項5に記載の方法。
【請求項７】
前記衛星通信システムが、少なくとも1つの地上局を含む、請求項1に記載の方法。
【請求項８】
前記衛星通信システムが、非静止衛星である衛星を含む、請求項1に記載の方法。
【請求項９】
衛星通信システムにおける半二重フレーム中のフォワードリンク継続時間およびガード継続時間を決定するための装置であって、
前記半二重フレームの特殊サブフレームにおいてフォワードリンク時間セグメントを割り振るための手段と、
前記特殊サブフレームにおいてガード時間セグメントを割り振るための手段と、
前記特殊サブフレーム中の前記フォワードリンク時間セグメントに基づいて、前記半二重フレーム中の前記フォワードリンク継続時間を決定するための手段と、
前記特殊サブフレーム中の前記ガード時間セグメントに基づいて前記半二重フレーム中の前記ガード継続時間を決定するための手段と
を備える、装置であって、
前記半二重フレームは、前記特殊サブフレームの前記ガード時間セグメントに続くガードサブフレームをさらに含み、
前記フォワードリンク時間セグメントおよび前記ガード時間セグメントの割合は、前記半二重フレームに対する総ガード時間要件に基づいて動的に変化するが、前記特殊サブフレームの継続時間は一定のままである、
装置。
【請求項１０】
衛星通信システムにおける半二重フレーム中のフォワードリンク継続時間およびガード継続時間を決定するための方法を、コンピュータまたはプロセッサに実行させるための少なくとも1つの命令を含むコンピュータ可読媒体であって、前記少なくとも1つの命令が、
前記半二重フレームの特殊サブフレームにおいてフォワードリンク時間セグメントを割り振るための命令と、
前記特殊サブフレームにおいてガード時間セグメントを割り振るための命令と、
前記特殊サブフレーム中の前記フォワードリンク時間セグメントに基づいて、前記半二重フレーム中の前記フォワードリンク継続時間を決定するための命令と、
前記特殊サブフレーム中の前記ガード時間セグメントに基づいて前記半二重フレーム中の前記ガード継続時間を決定するための命令と
を含む、コンピュータ可読媒体であって、
前記半二重フレームは、前記特殊サブフレームの前記ガード時間セグメントに続くガードサブフレームをさらに含み、
前記フォワードリンク時間セグメントおよび前記ガード時間セグメントの割合は、前記半二重フレームに対する総ガード時間要件に基づいて動的に変化するが、前記特殊サブフレームの継続時間は一定のままである、
コンピュータ可読媒体。
【手続補正書】
【提出日】令和1年5月13日(2019.5.13)
【手続補正１】
【補正対象書類名】特許請求の範囲
【補正対象項目名】全文
【補正方法】変更
【補正の内容】
【特許請求の範囲】
【請求項１】
ビデオデータをエントロピーコーディングする方法であって、前記方法は、
前記ビデオデータのスライス中のシンタックス要素のための値をエントロピーコーディングするために、コンテキスト適応型エントロピーコーディングプロセスにおいて使用される複数のコンテキストのうちのコンテキストのためのあらかじめ定義された初期化値を取得することと、ここにおいて、前記あらかじめ定義された初期化値がＮビット精度で記憶される、
前記あらかじめ定義された初期化値に基づいて、およびルックアップテーブルを使用して、前記ビデオデータの前記スライスのための前記コンテキストの初期確率状態を決定することと、ここにおいて、前記コンテキストのための可能な確率状態の数が２のＮ乗よりも大きく、前記ルックアップテーブル中のｉ番目の値は、
前記コンテキストのための可能な確率状態の前記数と、１シンボルの可能な確率のセットを表すテーブル中のｉ番目の値との積と、
オフセット値と
の和のｆｌｏｏｒまたはｃｅｉｌに等しい整数である、
前記コンテキストの前記初期確率状態に基づいて、前記シンタックス要素のための前記値のビンをエントロピーコーディングすることと
を備える、方法。
【請求項２】
前記オフセット値は、第１のオフセット値であり、前記方法は、
前記あらかじめ定義された初期化値に基づいて、傾斜値と第２のオフセット値とを決定すること
をさらに備え、ここにおいて、前記初期確率状態を決定することは、
前記傾斜値と、前記第２のオフセット値と、前記ビデオデータの前記スライスの量子化パラメータとに基づいて中間値を決定することと、
前記ルックアップテーブルを使用して、前記中間値を前記初期確率状態にマッピングすることと
を備える、請求項１に記載の方法。
【請求項３】
前記ルックアップテーブルは、２のＮ乗よりも小さいかまたはそれに等しい数のエントリを含む、請求項２に記載の方法。
【請求項４】
エントリの前記数が前記中間値の可能な値の数に等しい、請求項３に記載の方法。
【請求項５】
可能な確率のセットを表す前記テーブル中の前記ｉ番目の値が１シンボルの前記ｉ番目の可能な確率である、請求項１に記載の方法。
【請求項６】
前記コンテキストのための可能な確率状態の前記数は、２のＮ乗よりも大きいかまたはそれに等しい、請求項１に記載の方法。
【請求項７】
Ｎが８であり、前記コンテキストのための可能な確率状態の前記数が２の１５乗である、請求項５に記載の方法。
【請求項８】
前記オフセット値が０．５または０に等しい、請求項１に記載の方法。
【請求項９】
エントロピーコーディングすることは、前記ビンをエントロピー符号化することを備える、請求項１に記載の方法。
【請求項１０】
エントロピーコーディングすることは、前記ビンをエントロピー復号することを備える、請求項１に記載の方法。
【請求項１１】
前記コンテキスト適応型エントロピーコーディングプロセスは、コンテキスト適応型バイナリ算術コーディング（ＣＡＢＡＣ）プロセス、またはコンテキスト適応型可変長コーディング（ＣＡＶＬＣ）プロセスを備える、請求項１に記載の方法。
【請求項１２】
前記ルックアップテーブルは、以下の式
【数１】
2018521555.tif 000001
を備える、請求項１に記載の方法。
【請求項１３】
ビデオデータのエントロピーコーディングのための装置であって、前記装置は、
前記ビデオデータのスライス中のシンタックス要素のための値をエントロピーコーディングするために、コンテキスト適応型エントロピーコーディングプロセスにおいて使用される複数のコンテキストのうちのコンテキストのためのあらかじめ定義された初期化値を取得するための手段と、ここにおいて、前記あらかじめ定義された初期化値がＮビット精度で記憶される、
前記あらかじめ定義された初期化値に基づいて、およびルックアップテーブルを使用して、前記ビデオデータの前記スライスのための前記コンテキストの初期確率状態を決定するための手段と、ここにおいて、前記コンテキストのための可能な確率状態の数が２のＮ乗よりも大きく、前記ルックアップテーブル中のｉ番目の値は、
前記コンテキストのための可能な確率状態の前記数と、１シンボルの可能な確率のセットを表すテーブル中のｉ番目の値との積と、
オフセット値と
の和のｆｌｏｏｒまたはｃｅｉｌに等しい整数である、
前記コンテキストの前記初期確率状態に基づいて、前記シンタックス要素のための前記値のビンをエントロピーコーディングするための手段と
を備える、装置。
【請求項１４】
実行されたとき、ビデオコーディングデバイスの１つまたは複数のプロセッサに、請求項１乃至１２のいずれかに記載の方法を行わせる命令を記憶するコンピュータ可読記憶媒体。
【手続補正書】
【提出日】令和1年5月13日(2019.5.13)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
以前に復号されたピクチャの以前に復号されたスライスの以前に復号されたブロックのコンテキスト情報を現在のピクチャの現在のスライスのための初期化されたコンテキスト情報として継承することによって、前記現在のピクチャの前記現在のスライスのためのコンテキスト情報を初期化するステップであって、前記以前に復号されたブロックは、前記以前に復号されたピクチャ内の中心の位置にある最大コーディング単位(LCU)を備える、ステップと、
前記初期化されたコンテキスト情報を使用して前記現在のピクチャの前記現在のスライスのデータを復号するステップとを備え、
前記現在のスライスは、前記以前に復号されたスライスからコンテキスト情報が承継される前記現在のピクチャ内の複数のスライス内に含まれ、前記方法は、前記LCUを復号した後の前記コンテキスト情報を承継することによって前記複数のスライスの全てに対するそれぞれのコンテキスト情報を初期化するステップを更に含む、方法。
【請求項２】
前記現在のスライスが単方向予測されたスライス(P-slice)を備え、前記以前に復号されたスライスが双方向予測されたスライス(B-slice)を備える、請求項1に記載の方法。
【請求項３】
前記現在のスライスが双方向予測されたスライス(B-slice)を備え、前記以前に復号されたスライスが単方向予測されたスライス(P-slice)を備える、請求項1に記載の方法。
【請求項４】
前記現在のスライスがインターコーディングされるかどうかを決定するステップをさらに備え、
前記現在のピクチャの前記現在のスライスのための前記コンテキスト情報を初期化するステップが、前記現在のスライスがインターコーディングされるという決定に基づいて、前記現在のピクチャの前記現在のスライスのための前記初期化されたコンテキスト情報として前記以前に復号されたブロックを復号した後の前記コンテキスト情報を継承するステップを備える、請求項1に記載の方法。
【請求項５】
前記以前に復号されたスライスがインターコーディングされるかどうかを決定するステップをさらに備える、請求項4に記載の方法。
【請求項６】
前記現在のスライスおよび前記以前に復号されたスライスが同じ量子化パラメータ(QP)を共有するかどうかを決定するステップをさらに備え、
前記現在のピクチャの前記現在のスライスのための前記コンテキスト情報を初期化するステップが、前記現在のスライスおよび前記以前に復号されたスライスが同じQPを共有するという決定に基づいて、前記現在のピクチャの前記現在のスライスのための前記初期化されたコンテキスト情報として前記以前に復号されたブロックを復号した後の前記コンテキスト情報を継承するステップを備える、請求項1に記載の方法。
【請求項７】
前記以前に復号されたブロックの位置が、
TargetCUAddr = (PicWidthInCtbsY* PicHeightInCtbsY)/2 + PicWidthInCtbsY /2という式に従って定義され、
「PicWidthInCtbsY」が、前記以前に復号されたブロックの単一の行に含まれる最大コーディング単位(LCU)の数を表し、
「PicHeightInCtbsY」が、前記以前に復号されたブロックに含まれるLCU行の総数を表す、請求項1に記載の方法。
【請求項８】
前記コンテキスト情報が、前記現在のスライスと関連付けられる1つまたは複数のコンテキスト状態を備える、請求項1に記載の方法。
【請求項９】
前記以前に復号されたブロックが、前記以前に復号されたスライス内の中心の位置にある、最大コーディング単位(LCU)を備える、請求項8に記載の方法。
【請求項１０】
前記以前に復号されたブロックを復号した後の前記コンテキスト情報を継承することによって、前記現在のスライスのための前記コンテキスト情報を初期化するステップが、前記以前に復号されたブロックを復号した後の前記コンテキスト情報を継承することによって、前記現在のスライスのための前記コンテキスト情報のすべてではないが一部のコンテキストを初期化するステップを備える、請求項1に記載の方法。
【請求項１１】
前記現在のピクチャと同じ量子化パラメータ(QP)およびスライスタイプを共有する前記以前に復号されたピクチャを、復号順序において前記現在のピクチャの前の最後のピクチャとして特定することによって、前記以前に復号されたピクチャを選択するステップをさらに備える、請求項1に記載の方法。
【請求項１２】
ビデオデータを符号化する方法であって、
以前に符号化されたピクチャの以前に符号化されたスライスの以前に符号化されたブロックのコンテキスト情報を現在のピクチャの現在のスライスのための初期化されたコンテキスト情報として継承することによって、前記現在のピクチャの前記現在のスライスのためのコンテキスト情報を初期化するステップであって、前記以前に符号化されたブロックは、前記以前に符号化されたピクチャ内の中心の位置にある最大コーディング単位(LCU)を備える、ステップと、
前記初期化されたコンテキスト情報を使用して前記現在のピクチャの前記現在のスライスのデータを符号化するステップとを備え、
前記現在のスライスは、前記以前に符号化されたスライスからコンテキスト情報が承継される前記現在のピクチャ内の複数のスライス内に含まれ、前記方法は、前記LCUを符号化した後の前記コンテキスト情報を承継することによって前記複数のスライスの全てに対するそれぞれのコンテキスト情報を初期化するステップを更に含む、方法。
【請求項１３】
ビデオコーディング装置であって、
以前にコーディングされたピクチャの以前にコーディングされたスライスの以前にコーディングされたブロックをコーディングした後のコンテキスト情報を現在のピクチャの現在のスライスのための初期化されたコンテキスト情報として継承することによって、前記現在のピクチャの前記現在のスライスのためのコンテキスト情報を初期化するための手段であって、前記以前にコーディングされたブロックは、前記以前にコーディングされたピクチャ内の中心の位置にある最大コーディング単位(LCU)を備える、手段と、
前記初期化されたコンテキスト情報を使用して前記現在のピクチャの前記現在のスライスのデータをコーディングするための手段とを備え、
前記現在のスライスは、前記以前にコーディングされたスライスからコンテキスト情報が承継される前記現在のピクチャ内の複数のスライス内に含まれ、前記装置は、前記LCUをコーディングした後の前記コンテキスト情報を承継することによって前記複数のスライスの全てに対するそれぞれのコンテキスト情報を初期化することを更に含む、ビデオコーディング装置。
【請求項１４】
命令が符号化された非一時的コンピュータ可読記憶媒体であって、前記命令が、実行されると、ビデオコーディングデバイスの1つまたは複数のプロセッサに、請求項1〜12のうちのいずれか一項の方法を実行させる、非一時的コンピュータ可読記憶媒体。
【手続補正書】
【提出日】令和1年5月13日(2019.5.13)
【手続補正１】
【補正対象書類名】特許請求の範囲
【補正対象項目名】全文
【補正方法】変更
【補正の内容】
【特許請求の範囲】
【請求項１】
ビデオデータのエントロピーコーディングのための方法であって、前記方法が、
コンテキスト適応型バイナリ算術コーディング（ＣＡＢＡＣ）プロセスにおいて使用される複数のコンテキストのうちの第１のコンテキストのための複数のウィンドウサイズのうちの第１のウィンドウサイズを決定することと、ここにおいて、前記第１のコンテキストのための前記第１のウィンドウサイズが、第１のシンタックス要素がコーディングされることに基づく、
前記第１のコンテキストの確率状態に基づいて、前記ビデオデータの前記第１のシンタックス要素のための値のビンをエントロピーコーディングすることと、
前記第１のコンテキストのための前記第１のウィンドウサイズと前記第１のシンタックス要素のための前記値の前記コーディングされたビンとに基づいて前記第１のコンテキストの前記確率状態を更新することと、
前記複数のコンテキストのうちの前記第１のコンテキストのための前記複数のウィンドウサイズのうちの第２のウィンドウサイズを決定することと、ここにおいて、前記第１のコンテキストのための前記第２のウィンドウサイズが、前記第１のコンテキストのための前記第１のウィンドウサイズとは異なり、前記第１のコンテキストのための前記第２のウィンドウサイズが、第２のシンタックス要素がコーディングされることに基づく、
前記第１のコンテキストの確率状態に基づいて、前記ビデオデータの第２のシンタックス要素のための値のビンをエントロピーコーディングすることと、
前記第１のコンテキストのための前記第２のウィンドウサイズと前記第２のシンタックス要素のための前記コーディングされたビンとに基づいて前記第１のコンテキストの前記確率状態を更新することと、
を備える、方法。
【請求項２】
前記第１のコンテキストの前記更新された確率状態に基づいて、前記第１のコンテキストに関連する別のビンをエントロピーコーディングすることをさらに備える、請求項１に記載の方法。
【請求項３】
前記第１のコンテキストのための前記第１のおよび第２のウィンドウサイズが、前記コーディングされたビンを含むビットストリーム中でシグナリングされない、請求項１に記載の方法。
【請求項４】
前記複数のウィンドウサイズが、ウィンドウサイズのあらかじめ定義されたセットを備える、請求項１に記載の方法。
【請求項５】
エントロピーコーディングすることがエントロピー符号化することを備え、ここにおいて、前記ウィンドウサイズを決定することが、
ウィンドウサイズの前記あらかじめ定義されたセットのそれぞれのウィンドウサイズについて、前記シンタックス要素のためのビン値を含む特定のビンストリングをエントロピー符号化するために使用されるビットのそれぞれの量を決定することと、
前記特定のビンストリングをエントロピー符号化するために、ビットの最も小さい量に対応する、ウィンドウサイズの前記あらかじめ定義されたセットのうちの前記ウィンドウサイズを前記第１のコンテキストのための前記ウィンドウサイズとして選択することと
を備える、請求項４に記載の方法。
【請求項６】
デフォルトウィンドウサイズが前記複数のコンテキストのために使用されるかどうかを示す第３のシンタックス要素をコーディングすることをさらに備える、請求項１に記載の方法。
【請求項７】
前記デフォルトウィンドウサイズが前記複数のコンテキストのために使用されないことを前記第３のシンタックス要素が示すことに基づいて、前記第１のコンテキストのための前記ウィンドウサイズを示す第４のシンタックス要素をコーディングすることをさらに備える、請求項６に記載の方法。
【請求項８】
前記第１のコンテキストのための前記ウィンドウサイズを示すために、前記第４のシンタックス要素が、前記第１のコンテキストのための前記ウィンドウサイズと前記デフォルトウィンドウサイズとの間の差分を示す、請求項７に記載の方法。
【請求項９】
前記第３のシンタックス要素をコーディングすることが、前記第３のシンタックス要素を含む現在スライスのスライスヘッダをコーディングすることを備え、ここにおいて、前記第３のシンタックス要素は、前記現在スライスのビンをエントロピーコーディングするとき、前記デフォルトウィンドウサイズが前記複数のコンテキストのために使用されるかどうかを示す、請求項６に記載の方法。
【請求項１０】
現在スライスのスライスヘッダ中で、前記複数のコンテキストのためのウィンドウサイズが、前にコーディングされたスライスから継承されるかどうかを示すシンタックス要素をコーディングすることをさらに備える、請求項１に記載の方法。
【請求項１１】
エントロピーコーディングすることがエントロピー復号することを備え、前記方法が、
コード化ビデオビットストリームから、前記第１のコンテキストのための前記ウィンドウサイズを示す１つまたは複数のシンタックス要素を復号することをさらに備える、請求項１に記載の方法。
【請求項１２】
ビデオデータのエントロピーコーディングのための装置であって、前記装置が、
コンテキスト適応型バイナリ算術コーディング（ＣＡＢＡＣ）プロセスにおいて使用される複数のコンテキストのうちの第１のコンテキストのための複数のウィンドウサイズのうちの第１のウィンドウサイズを決定するための手段と、ここにおいて、前記第１のコンテキストのための前記第１のウィンドウサイズが、第１のシンタックス要素がコーディングされることに基づく、
前記第１のコンテキストの確率状態に基づいて、前記ビデオデータの前記第１のシンタックス要素のための値のビンをエントロピーコーディングするための手段と、
前記第１のコンテキストのための前記第１のウィンドウサイズと前記第１のシンタックス要素のための前記値の前記コーディングされたビンとに基づいて前記第１のコンテキストの前記確率状態を更新するための手段と、
前記複数のコンテキストのうちの前記第１のコンテキストのための前記複数のウィンドウサイズのうちの第２のウィンドウサイズを決定するための手段と、ここにおいて、前記第１のコンテキストのための前記第２のウィンドウサイズが、前記第１のコンテキストのための前記第１のウィンドウサイズとは異なる、
前記第１のコンテキストの確率状態に基づいて、前記ビデオデータの第２のシンタックス要素のための値のビンをエントロピーコーディングするための手段と、
前記第１のコンテキストのための前記第２のウィンドウサイズと前記第２のシンタックス要素のための前記コーディングされたビンとに基づいて前記第１のコンテキストの前記確率状態を更新するための手段と、
を備える、装置。
【請求項１３】
実行されたとき、ビデオコーディングデバイスの１つまたは複数のプロセッサに、請求項１〜１１のうちのいずれかに記載の方法を実行させる命令を記憶するコンピュータ可読記憶媒体。
【手続補正書】
【提出日】令和1年5月13日(2019.5.13)
【手続補正１】
【補正対象書類名】特許請求の範囲
【補正対象項目名】全文
【補正方法】変更
【補正の内容】
【特許請求の範囲】
【請求項１】
ビデオデータを処理する方法であって、
前記ビデオデータの変換単位内の4ｎ個の係数グループ(CG)を特定するステップであって、前記変換単位は、ブロックの単位で表すと8r（ｎ−１）×8r（ｎ−１）のサイズを有し、ｎは1、2または3に等しく、ｒは2に等しく、各々の特定されるCGが前記変換単位内の変換係数の部分集合を表し、前記特定される4ｎ個のCGが重複しておらず、前記特定されるCGのうちのすべてのCGが等しいサイズである、ステップと、
前記4ｎ個のCGのうちの現在のCGを特定するステップであって、前記現在のCGが現在の変換係数を含む、ステップと、
前記特定されるCGの各CGに含まれる変換係数の各々のそれぞれの部分集合に関して同じ走査順序を使用することによって、前記特定されるCGに関してCGごとに前記ビデオデータの前記変換単位内の前記変換係数を走査するステップとを備える、方法。
【請求項２】
前記変換サイズに基づいて前記CGサイズを決定するステップが、前記変換単位と関連付けられる前記変換サイズと、(i)前記ビデオデータの前記変換単位と関連付けられるコーディングモード、または(ii)前記ビデオデータの前記変換単位と関連付けられる変換行列の一方または両方との組合せに基づいて、前記CGサイズを決定するステップを備える、請求項1に記載の方法。
【請求項３】
前記ビデオデータを処理するステップが、前記変換係数を使用して前記ビデオデータの少なくとも一部分を復号するステップを備える、請求項1に記載の方法。
【請求項４】
前記ビデオデータが符号化されたビデオデータを備え、前記変換単位が前記符号化されたビデオデータの符号化された変換単位を備え、前記変換単位と関連付けられるコーディングモードが、前記符号化された変換単位を形成するために使用されるコーディングモードを備える、請求項3に記載の方法。
【請求項５】
前記ビデオデータを処理するステップが、前記ビデオデータの少なくとも一部分を符号化するステップを備える、請求項1に記載の方法。
【請求項６】
コーディングモードが、前記ビデオデータの前記変換単位を符号化するために選択されるコーディングモードを備える、請求項5に記載の方法。
【請求項７】
前記特定されるCGの各CGがブロックの正方形の領域を備え、前記CGサイズがブロックの単位で表すと4×4である、請求項1に記載の方法。
【請求項８】
コーディングモードがCGベースのコーディングモードを備える、請求項1に記載の方法。
【請求項９】
ビデオコーディングデバイスであって、
ビデオデータを記憶するように構成されるメモリデバイスと、
前記メモリデバイスに結合された1つまたは複数のプロセッサとを備え、前記1つまたは複数のプロセッサが、
前記ビデオデータの変換単位内の4ｎ個の係数グループ(CG)を特定し、ｎは正の非零の整数に等しく、各々の特定されるCGが前記変換単位内の変換係数の部分集合を表し、前記特定される2つ以上のCGが重複しておらず、前記特定されるCGのうちのすべてのCGが等しいサイズであり、
前記2つ以上のCGのうちの現在のCGを特定し、前記現在のCGが前記ビデオデータの現在の変換係数を含み、
前記特定されるCGの各CGに含まれる変換係数の各々のそれぞれの部分集合に関して同じ走査順序を使用することによって、前記特定されるCGに関してCGごとに前記ビデオデータの前記変換単位内の前記変換係数を走査する
ように構成される、ビデオコーディングデバイス。
【請求項１０】
前記変換単位と関連付けられる前記変換サイズに基づいて前記CGサイズを決定するために、前記1つまたは複数のプロセッサが、前記変換単位と関連付けられる前記変換サイズと、(i)前記ビデオデータの前記変換単位と関連付けられるコーディングモード、または(ii)前記ビデオデータの前記変換単位と関連付けられる変換行列の一方または両方との組合せに基づいて、前記CGサイズを決定するように構成される、請求項9に記載のビデオコーディングデバイス。
【請求項１１】
前記記憶されたビデオデータが符号化されたビデオデータを備え、
前記1つまたは複数のプロセッサが、前記変換係数を使用して前記符号化されたビデオデータの少なくとも一部分を復号して復号されたビデオデータを形成するように構成される、請求項9に記載のビデオコーディングデバイス。
【請求項１２】
前記変換単位が前記符号化されたビデオデータの符号化された変換単位を備え、前記変換単位と関連付けられるコーディングモードが、前記符号化された変換単位を形成するために使用されるコーディングモードを備える、請求項11に記載のビデオコーディングデバイス。
【請求項１３】
復号されたビデオデータの少なくとも一部分を表示するように構成されるディスプレイをさらに備える、請求項10に記載のビデオコーディングデバイス。
【請求項１４】
1つまたは複数の集積回路、
1つまたは複数のデジタル信号プロセッサ(DSP)、
1つまたは複数のフィールドプログラマブルゲートアレイ(FPGA)、
デスクトップコンピュータ、
ラップトップコンピュータ、
タブレットコンピュータ、
電話、
テレビジョン、
カメラ、
表示デバイス、
デジタルメディアプレーヤ、
ビデオゲームコンソール、
ビデオゲームデバイス、
ビデオストリーミングデバイス、または
ワイヤレス通信デバイス
のうちの少なくとも1つをさらに備える、請求項9に記載のビデオコーディングデバイス。
【請求項１５】
命令が符号化された非一時的コンピュータ可読記憶媒体であって、前記命令が、実行されると、ビデオコーディングデバイスの1つまたは複数のプロセッサに、請求項1〜8のうちのいずれか一項の方法を実行させる、非一時的コンピュータ可読記憶媒体。
【手続補正書】
【提出日】令和1年6月17日(2019.6.17)
【手続補正１】
【補正対象書類名】特許請求の範囲
【補正対象項目名】全文
【補正方法】変更
【補正の内容】
【特許請求の範囲】
【請求項１】
モバイル通信機器用のケースであって、前記ケースは、前記モバイル通信機器の１つまたは２つ以上のコンポーネントまたはアクセサリを収納し、前記コンポーネントは、是正信号を発生させるコイルを含む、ケース。
【手続補正２】
【補正対象書類名】明細書
【補正対象項目名】００２４
【補正方法】変更
【補正の内容】
【００２４】
図２は、携帯電話のコンポーネントをケース内にどのように配置すれば良いかおよび他のコンポーネントを携帯電話それ自体内にどのように配置すれば良いかを概略的に示すとともにコンポーネントをケース内でかつ携帯電話内で、更にケースと携帯電話との間でどのようにリンクさせれば良いかを概略的に示している。オプションとしてのコンポーネントおよび接続部が点線で示されている。
また、好ましい構成態様として、本発明を次のように構成することもできる。
１．モバイル通信機器用のケースであって、前記ケースは、前記モバイル通信機器の１つまたは２つ以上のコンポーネントまたはアクセサリを収納し、前記コンポーネントは、是正信号を発生させるコイルを含む、ケース。
２．前記コンポーネントは、前記モバイル通信機器によって放出された潜在的に有害な放射（radiation）の検出に用いられるアンテナを含む、上記１記載のケース。
３．前記コンポーネントは、前記ケースの操作を管理するマイクロコントローラである、上記１または２記載のケース。
４．前記コンポーネントは、データを捕捉するためのデータモジュールを含む、上記１〜３記載のケース。
５．前記コンポーネントは、バッテリまたは追加のバッテリを含む、上記１〜４のうちいずれか一に記載のケース。
６．前記ケースは、追加のコンポーネントとして表示装置を収納している、上記５記載のケース。
７．前記表示装置は、ＬＥＤである、上記６記載のケース。
８．前記モバイル通信機器は、携帯電話である、上記１〜７のうちいずれか一に記載のケース。
９．上記１〜８のうちいずれか一に記載のケース内に収納された携帯電話。
【手続補正書】
【提出日】令和1年6月13日(2019.6.13)
【手続補正１】
【補正対象書類名】特許請求の範囲
【補正対象項目名】全文
【補正方法】変更
【補正の内容】
【特許請求の範囲】
【請求項１】
ワイヤレスデバイスによるワイヤレス通信のための方法であって、
ワイヤレスフレーム用の送信帯域幅を識別するステップであって、前記ワイヤレスフレームは、第1のワイヤレスローカルエリアネットワーク(WLAN)プリアンブル部分、第2のWLANプリアンブル部分、およびデータ部分を含み、前記送信帯域幅はサブバンドのセットを有する、ステップと、
複数の受信機に送信されるべきプリアンブル情報を識別するステップであって、前記プリアンブル情報は、前記複数の受信機向けの共通プリアンブル情報および前記複数の受信機のうちの特定の受信機向けの専用情報を含む、ステップと、
前記専用情報およびデータを受信するべき前記複数の受信機用のリソースユニット(RU)割振りを決定するステップと、
前記RU割振りの指示を、前記第2のWLANプリアンブル部分の前記共通プリアンブル情報中で、送信するステップであって、前記RU割振りは前記決定されたRU割振りの各RU中の受信機の数を伝える、ステップとを含む方法。
【請求項２】
前記第1のWLANプリアンブル部分はレガシープリアンブル部分を含み、
前記第2のWLANプリアンブル部分は高効率(HE)プリアンブル部分を含む、請求項1に記載の方法。
【請求項３】
前記指示は、RUマッピング情報と、前記RUのうちの1つまたは複数においてデータを受信するべき空間多重化受信機の数とを含む、請求項1に記載の方法。
【請求項４】
前記空間多重化受信機の数は、複数の受信機にわたる空間多重化をサポートすることができるRUサイズに対してシグナリングされるだけである、請求項3に記載の方法。
【請求項５】
複数の受信機にわたる空間多重化のサポートは、RUサイズ閾値以上のRUサイズに対して許容される、請求項3に記載の方法。
【請求項６】
前記RUマッピング情報は、前記サブバンドのセットのうちの1つまたは複数のサブバンドについての前記送信におけるRU割振りの数およびサイズを示すいくつかのビットを含む、請求項3に記載の方法。
【請求項７】
前記RU割振りは、前記サブバンドのセットのうちの1つまたは複数のサブバンド中で割り振られた各RU中で、アクティブ受信機の数を伝える、請求項3に記載の方法。
【請求項８】
前記空間多重化受信機の数は、マルチユーザ(MU)多入力多出力(MIMO)送信モードを使って多重化された受信機の数を示す、請求項3に記載の方法。
【請求項９】
前記ワイヤレスデバイスは、ワイヤレス通信端末であり、アンテナおよびトランシーバをさらに備える、請求項3に記載の方法。
【請求項１０】
ワイヤレス通信のための装置であって、
ワイヤレスフレーム用の送信帯域幅を識別するための手段であって、前記ワイヤレスフレームは、第1のワイヤレスローカルエリアネットワーク(WLAN)プリアンブル部分、第2のWLANプリアンブル部分、およびデータ部分を含み、前記送信帯域幅はサブバンドのセットを有する、手段と、
複数の受信機に送信されるべきプリアンブル情報を識別するための手段であって、前記プリアンブル情報は、前記複数の受信機向けの共通プリアンブル情報および前記複数の受信機のうちの特定の受信機向けの専用情報を含む、手段と、
前記専用情報およびデータを受信するべき前記複数の受信機用のリソースユニット(RU)割振りを決定するための手段と、
前記RU割振りの指示を、前記第2のWLANプリアンブル部分の前記共通プリアンブル情報中で、送信するための手段であって、前記RU割振りは前記決定されたRU割振りの各RU中の受信機の数を伝える、手段とを備える装置。
【請求項１１】
前記指示は、(RUマッピング情報と、前記RUのうちの1つまたは複数においてデータを受信するべき空間多重化受信機の数とを含む、請求項10に記載の装置。
【請求項１２】
ワイヤレス通信のためのコードを記憶するコンピュータ可読記憶媒体であって、前記コードは、請求項1から9のいずれか一項に記載の方法を行うように実行可能な命令を含む、コンピュータ可読記憶媒体。
【手続補正書】
【提出日】平成30年12月11日(2018.12.11)
【手続補正１】
【補正対象書類名】特許請求の範囲
【補正対象項目名】全文
【補正方法】変更
【補正の内容】
【特許請求の範囲】
【請求項１】
コンテンツ特徴に対応する特性値のセットを受信するステップと、
コンテンツ内のサンプル値に関連付けられたサンプル位置に対する複数の特性を計算するステップと、
前記計算された複数の特性および前記受信された特性値のセットに基づいて、前記サンプル位置が、前記コンテンツ内で保存されることになると識別された複数のコンテンツ特徴の位置に対応するかどうかを決定するステップであって、前記サンプル位置は、前記計算された複数の特性が前記受信された特性値のセットに属するとき、保存されることになると識別された複数のコンテンツ特徴の位置に対応する、ステップと、
前記計算された複数の特性が前記受信された特性のセットに属するか属さないかの前記決定に基づいて、前記サンプル位置が保存されることになると識別されたコンテンツ特徴の位置に対応するかどうかのインジケーションを出力するステップと
を含む方法。
【請求項２】
前記サンプル値は予測されたサンプル値を備え、前記サンプル位置が保存されることになると識別された複数のコンテンツ特徴の位置に対応するかどうかは、前記サンプル位置における前記予測されたサンプル値を用いて決定される請求項１に記載の方法。
【請求項３】
前記サンプル値は復元されたサンプル値を備え、前記サンプル位置が保存されることになると識別された複数のコンテンツ特徴の位置に対応するかどうかは、前記サンプル位置における前記復元されたサンプル値を用いて決定される請求項１に記載の方法。
【請求項４】
前記復元されたサンプル値は、前記サンプル位置がインループフィルタリングの前に保存されることになると識別された複数のコンテンツ特徴の前記位置に対応するか、またはインループフィルタリングの後に保存されることになると識別された複数のコンテンツ特徴の前記位置に対応するかを決定するために、用いられるように構成される請求項３に記載の方法。
【請求項５】
前記インジケーションが、前記サンプル位置が保存されることになると識別された複数のコンテンツ特徴の前記位置に属すること、または前記サンプル位置が保存されることになると識別された複数のコンテンツ特徴の位置に対応することを示すとき、前記サンプル位置に芸術性維持符号化または復号を適用するステップと、
前記インジケーションが、前記サンプル位置が保存されることになると識別された複数のコンテンツ特徴の前記位置に属さないこと、または前記サンプル位置が保存されることになると識別された複数のコンテンツ特徴の位置に対応しないことを示すとき、前記サンプル位置に非芸術性維持符号化または復号を適用するステップと、
をさらに含む請求項１に記載の方法。
【請求項６】
コンテンツ特徴に対応する特性値の前記セットに関連付けられた重要度レベルを示すまたは検出するステップ
をさらに含む請求項１に記載の方法。
【請求項７】
コンテンツ特徴に対応する特性値の前記セットに関連付けられ重要度レベルに基づいて、前記サンプル位置に関連付けられた前記サンプル値に、符号化、復号、配信、処理およびエラー回復性の少なくとも１つにおいて、異なるレベルの処置を適用するステップ
をさらに含む請求項１に記載の方法。
【請求項８】
符号化ユーザインターフェースを用いて、前記コンテンツ内で保存されることになると識別されたコンテンツ特徴の表現を示し、保存されることになると識別されたコンテンツ特徴の前記表現に関連付けられた前記コンテンツ内の前記サンプル値に関連付けられた前記サンプル位置の処置を構成するステップ
をさらに含む請求項１に記載の方法。
【請求項９】
前記構成された処置は、保存されることになると識別されたコンテンツ特徴の前記表現に関連付けられた前記コンテンツに対する忠実度強化およびＱＰ調整値の１つまたは複数を含む請求項８に記載の方法。
【請求項１０】
前記コンテンツのブロックをさらに備え、前記コンテンツの前記ブロック内の保存されることになると識別された複数のコンテンツ特徴を表現する特性の前記セットの特性を有するサンプルの量または百分率は、芸術性または非芸術性維持符号化または復号を前記コンテンツの前記ブロックに適用するかどうかを決定するために、閾値と比較されるように構成される請求項１に記載の方法。
【請求項１１】
請求項１乃至１０のいずれか一項に記載の方法を行うように構成されたプロセッサを備えるデバイス。
【請求項１２】
請求項１乃至１０のいずれか一項に記載の方法を行うための、複数のコンピュータ実行可能命令が記憶されたコンピュータ可読記憶媒体。
【請求項１３】
コンテンツ特徴を表現する特性のセット内のメンバ特性に対する特性のタイプを受信するステップと、
特性の前記セット内の前記メンバ特性が１次元であるか２次元であるかを、前記メンバ特性に対して受信された特性の前記対応するタイプに基づいて決定するステップと、
前記決定に基づいて前記メンバ特性が１次元であるときは、端点を用いて、または前記決定に基づいて前記メンバ特性が２次元であるときは、前記メンバ特性に対する特性の前記タイプの多角形表示を用いて、前記メンバ特性に対する特性の前記タイプの範囲を受信するステップと
を含む方法。
【請求項１４】
コンテンツ特徴を表現する特性のセット内のメンバ特性の総数を受信するステップ
をさらに含む請求項１３に記載の方法。
【請求項１５】
特性の前記セット内のメンバ特性の前記総数内の他のメンバ特性のそれぞれに対する特性のタイプを受信するステップと、
特性の前記セット内の前記他のメンバ特性のそれぞれが１次元であるか２次元であるかを、前記メンバ特性に対して受信された特性の前記対応するタイプに基づいて決定するステップと、
前記決定に基づいて前記それぞれの他のメンバ特性が１次元であるときは、端点を用いて、または前記決定に基づいて前記それぞれのメンバ特性が２次元であるときは、前記他のメンバ特性のそれぞれに対する特性の前記タイプの多角形表示を用いて、前記他のメンバ特性のそれぞれに対する特性のタイプの範囲を受信するステップと
をさらに含む請求項１４に記載の方法。
【請求項１６】
特性の前記タイプは、輝度、色度、深度、空間的位置、エッジ方向、エッジ強度、テクスチャ属性または分類、またはオーディオ属性または効果の１つまたは複数を備える請求項１３に記載の方法。
【請求項１７】
請求項１３乃至１６のいずれか一項に記載の方法を行うように構成されたプロセッサを備えるデバイス。
【請求項１８】
請求項１３乃至１６のいずれか一項に記載の方法を行うための、複数のコンピュータ実行可能命令が記憶されたコンピュータ可読記憶媒体。